(57)【要約】【課題】本発明は、装置がオートパワーオフに至ることを事前に操作者が把握することが可能であり又、予め設定されたオートパワーオフ移行予定時刻のキャンセルを行うことが可能な画像処理装置を提供することである。【解決手段】 オートパワーオフ時刻を設定する設定部と、前記設定された設定値に基づき、オートパワーオフ動作を制御する制御部と、前記オートパワーオフ時刻に至る一定時間前に、当該オートパワーオフの事前予告を操作者に通知する通知部とを備える。【選択図】図２
2019136899.tif 000002
【特許請求の範囲】
【請求項１】
所定時刻に電源遮断を実行するオートパワーオフ機能を備えた画像形成装置において、
オートパワーオフ時刻を設定する設定部と、前記設定された設定値に基づき、オートパワーオフ動作を制御する制御部と、前記オートパワーオフ時刻に至る一定時間前に、当該オートパワーオフの事前予告を操作者に通知する通知部とを備える、ことを特徴とする画像形成装置。
【請求項２】
所定時間内に所定の操作が行われない場合に、電源遮断を実行するオートパワーオフ機能を備えた画像形成装置において、
オートパワーオフ時間を設定する設定部と、前記設定された設定値に基づき、オートパワーオフ動作を制御する制御部と、前記オートパワーオフに至る一定時間前に、当該オートパワーオフの事前予告を操作者に通知する通知部とを備える、ことを特徴とする画像形成装置。
【請求項３】
前記事前予告を通知する際は、前記通知部は、前記オートパワーオフ時刻又は、オートパワーオフ時間に至る一定時間前からカウントダウン通知を行う、ことを特徴とする請求項１又は請求項２記載の画像形成装置。
【請求項４】
操作者によるオートパワーオフ機能のキャンセル要求を受付ける操作部を備え、前記操作部を介して受付けたキャンセル要求に基づき、前記設定部は、前記オートパワーオフ機能の設定をキャンセルする、ことを特徴とする請求項１乃至請求項３の何れかひとつに記載の画像形成装置。
【請求項５】
前記通知部は、オートパワーオフの事前予告の際に、警告動作を行う、ことを特徴とする請求項１乃至請求項４の何れかひとつに記載の画像形成装置。
【請求項６】
前記通知部は、画像形成装置が特定の処理を行っている間は、オートパワーオフの事前予告を操作者に通知せず、前記特定の処理が終わるのを待って操作者に通知する、ことを特徴とする請求項１乃至請求項５の何れかひとつに記載の画像形成装置。
【請求項７】
前記特定の処理を行っている間とは、少なくとも、操作パネルの操作中、印刷動作中、製版動作中、画像データ受信中又は、エラー発生中の何れかの処理中のことである、ことを特徴とする請求項６記載の画像形成装置。
【請求項８】
所定時間内に所定の操作が行われない場合に、待機時の消費電力を低減する省エネモードをさらに備え、前記省エネモードを実行中の場合は、前記通知部によるオートパワーオフの事前予告を操作者に通知することなく、制御部は、オートパワーオフの設定時刻又は設定時間に電源遮断を実行する、ことを特徴とする請求項１乃至請求項７の何れかひとつに記載の画像形成装置。
【請求項９】
ホストコンピュータと画像形成装置がオンライン接続された画像形成装置のオンラインシステムにおいて、前記事前予告を通知する際は、前記通知部は、前記オートパワーオフに至る一定時間を、画像形成装置がオフラインの場合よりも長く設定する、ことを特徴とする請求項１乃至請求項８の何れかひとつに記載の画像形成装置。
【請求項１０】
オートパワーオフ機能を実行する時刻又は時間を設定する設定部を備え、前記設定部により、オートパワーオフ時刻を設定し、前記設定時刻に電源遮断を実行する第一のオートパワーオフ機能と、オートパワーオフ時間を設定し、前記設定時間内に所定の操作が行われない場合に、電源遮断を実行する第二のオートパワーオフ機能とを備えた画像形成装置において、操作者により任意に選択された前記第一又は第二のオートパワーオフ機能に応じて、オートパワーオフ動作を制御する制御部を備える、ことを特徴とする画像形成装置。
【発明の詳細な説明】
【技術分野】
【０００１】
本発明は、オートパワーオフ機能を備えた画像形成装置の技術分野に関するものである。
【背景技術】
【０００２】
近年、所定時間内に所定の操作が行われない場合に、装置本体の電源をオフするオートパワーオフ機能を搭載した画像形成装置が普及している。このようなオートパワーオフ機能があれば、操作者が装置の電源をオフとすることを忘れた場合でも、予め設定されたオートパワーオフ移行予定時刻に至ると、装置自体が自動で電源オフとなるため、省エネルギーの観点から効果的な機能と言える（例えば、特許文献１参照）。
【先行技術文献】
【特許文献】
【０００３】
【特許文献１】実開昭６３−１９９３２２号公報
【発明の概要】
【発明が解決しようとする課題】
【０００４】
しかしながら、従来技術における画像形成装置では、例えば、操作者がオートパワーオフ移行予定時刻を設定したにもかかわらず、そのことを忘れて作業を続けていた場合、設定した予定時刻になると、操作者が作業中にも拘わらず装置が突然電源オフとなってしまう可能性がある。その結果、操作者は、再度装置の電源をオンすると共に、操作中に設定した装置の各種設定を再度やり直さなければならない場合もある。又、その際、操作者は、オートパワーオフ機能が作動したのではなく、画像形成装置の不具合と勘違いすることも考えられる。
【０００５】
本発明はこのような実状に鑑みてなされたものであり、本発明の課題は、装置がオートパワーオフに至ることを事前に操作者が把握することが可能であり又、予め設定されたオートパワーオフ移行予定時刻のキャンセルを行うことが可能な画像処理装置を提供することである。
【課題を解決するための手段】
【０００６】
上記課題を解決するために、請求項１に記載の発明は、所定時刻に電源遮断を実行するオートパワーオフ機能を備えた画像形成装置において、オートパワーオフ時刻を設定する設定部と、前記設定された設定値に基づき、オートパワーオフ動作を制御する制御部と、前記オートパワーオフ時刻に至る一定時間前に、当該オートパワーオフの事前予告を操作者に通知する通知部とを備える、ことを特徴とするものである。
【０００７】
又、請求項２記載の発明は、所定時間内に所定の操作が行われない場合に、電源遮断を実行するオートパワーオフ機能を備えた画像形成装置において、オートパワーオフ時間を設定する設定部と、前記設定された設定値に基づき、オートパワーオフ動作を制御する制御部と、前記オートパワーオフに至る一定時間前に、当該オートパワーオフの事前予告を操作者に通知する通知部とを備える、ことを特徴とするものである。
【０００８】
又、請求項３記載の発明は、請求項１又は請求項２記載の画像形成装置において、前記事前予告を通知する際は、前記通知部は、前記オートパワーオフ時刻又は、オートパワーオフ時間に至るに至る一定時間前からカウントダウン通知を行う、ことを特徴とするものである。
【０００９】
又、請求項４記載の発明は、請求項１乃至請求項３の何れかひとつに記載の画像形成装置において、操作者によるオートパワーオフ機能のキャンセル要求を受付ける操作部を備え、前記操作部を介して受付けたキャンセル要求に基づき、前記設定部は、前記オートパワーオフ機能の設定をキャンセルする、ことを特徴とするものである。
【００１０】
又、請求項５記載の発明は、請求項１乃至請求項４の何れかひとつに記載の画像形成装置において、前記通知部は、オートパワーオフの事前予告の際に、警告動作を行う、ことを特徴とするものである。
【００１１】
又、請求項６記載の発明は、請求項１乃至請求項５の何れかひとつに記載の画像形成装置において、前記通知部は、画像形成装置が特定の処理を行っている間は、オートパワーオフの事前予告を操作者に通知せず、前記特定の処理が終わるのを待って操作者に通知する、ことを特徴とするものである。
【００１２】
又、請求項７記載の発明は、請求項６記載の画像形成装置において、前記特定の処理を行っている間とは、少なくとも、操作パネルの操作中、印刷動作中、製版動作中、画像データ受信中又は、エラー発生中の何れかの処理中のことである、ことを特徴とするものである。
【００１３】
又、請求項８記載の発明は、請求項１乃至請求項７の何れかひとつに記載の画像形成装置において、所定時間内に所定の操作が行われない場合に、待機時の消費電力を低減する省エネモードをさらに備え、前記省エネモードを実行中の場合は、前記通知部によるオートパワーオフの事前予告を操作者に通知することなく、制御部は、オートパワーオフの設定時刻又は設定時間に電源遮断を実行する、ことを特徴とするものである。
【００１４】
又、請求項９記載の発明は、請求項１乃至請求項８の何れかひとつに記載の画像形成装置において、ホストコンピュータと画像形成装置がオンライン接続された画像形成装置のオンラインシステムにおいて、前記事前予告を通知する際は、前記通知部は、前記オートパワーオフに至る一定時間を、画像形成装置がオフラインの場合よりも長く設定する、ことを特徴とするものである。
【００１５】
又、請求項１０記載の発明は、オートパワーオフ機能を実行する時刻又は時間を設定する設定部を備え、前記設定部により、オートパワーオフ時刻を設定し、前記設定時刻に電源遮断を実行する第一のオートパワーオフ機能と、オートパワーオフ時間を設定し、前記設定時間内に所定の操作が行われない場合に、電源遮断を実行する第二のオートパワーオフ機能とを備えた画像形成装置において、操作者により任意に選択された前記第一又は第二のオートパワーオフ機能に応じて、オートパワーオフ動作を制御する制御部を備える、ことを特徴とするものである。
【発明の効果】
【００１６】
請求項１記載の発明によれば、所定時刻に電源遮断を実行するオートパワーオフ機能を備えた画像形成装置において、装置がオートパワーオフに至ることを事前に操作者が把握することが可能である。
【００１７】
請求項２記載の発明によれば、所定時間内に所定の操作が行われない場合に、電源遮断を実行するオートパワーオフ機能を備えた画像形成装置において、装置がオートパワーオフに至ることを事前に操作者が把握することが可能である。
【００１８】
請求項３記載の発明によれば、事前予告を通知する際は、前記通知部は、前記オートパワーオフ時刻又は、オートパワーオフ時間に至る一定時間前からカウントダウン通知を行う為、操作者は、現時点におけるオートパワーオフ時刻までの残余時間を容易に知ることができる。
【００１９】
請求項４記載の発明によれば、装置がオートパワーオフに至ることを事前に操作者が把握することが可能であり又、予め設定されたオートパワーオフ移行予定時刻のキャンセルを行うことが可能である。
【００２０】
請求項５記載の発明によれば、通知部は、オートパワーオフの事前予告の際に、警告動作を行う為、操作者に事前予告の通知を確実に知らしめることができる。
【００２１】
請求項６記載の発明によれば、通知部は、画像形成装置が特定の処理を行っている間は、オートパワーオフの事前予告を操作者に通知せず、前記特定の処理が終わるのを待って操作者に通知する為、事前予告により特定の処理が妨げられることがない。
【００２２】
請求項７記載の発明によれば、操作パネルの操作中、印刷動作中、製版動作中、画像データ受信中又は、エラー発生中の何れかの処理中の間は、オートパワーオフの事前予告を操作者に通知せず、前記特定の処理が終わるのを待って操作者に通知する為、事前予告により特定の処理が妨げられることがない。
【００２３】
請求項８記載の発明によれば、省エネモード実行中に、オートパワーオフの事前予告のタイミングに至った場合においては、操作者が一定の時間、所定の操作を行っていないと判断して、オートパワーオフの電源オフを実行する。したがって、省エネルギーの促進に有効である。
【００２４】
請求項９記載の発明によれば、ホストコンピュータと画像形成装置がオンライン接続された画像形成装置のオンラインシステムにおいて、前記事前予告を通知する際は、前記通知部は、前記オートパワーオフに至る一定時間を、画像形成装置がオフラインの場合よりも長く設定する。したがって、ホストコンピュータと装置本体が離れて設置されている場合においても、操作者が意図しないオートパワーオフ状態に至った結果、操作者が離れた装置本体まで行き、再度電源をオンしなければならないというリスクを減らすことができる。
【００２５】
請求項１０記載の発明によれば、オートパワーオフ時刻を設定する第一のオートパワーオフ機能と、オートパワーオフ時間を設定する第二のオートパワーオフ機能とを備え、操作者により任意に選択可能とした為、操作者の用途に応じたオートパワーオフ機能を適用することができる。
【図面の簡単な説明】
【００２６】
【図１】本発明の実施例の画像形成装置の全体構成図である。
【図２】本発明の実施例のオートパワーオフ機能の構成を示すブロック図である。
【図３】本発明の実施例の画像形成装置が備える操作パネルの構成例を示す概略図である。
【図４】操作パネルが備えるＬＣＤ部が表示する表示画面の一例を説明する図である。
【図５】操作パネルが備えるＬＣＤ部が表示する表示画面の一例を説明する図である。
【図６】操作パネルが備えるＬＣＤ部が表示する表示画面の一例を説明する図である。
【図７】操作パネルが備えるＬＣＤ部が表示する表示画面の一例を説明する図である。
【図８】本発明の実施形態の動作を説明するフローチャートである。
【図９】本発明の実施形態の動作を説明するフローチャートである。
【図１０】本発明の実施形態の動作を説明するフローチャートである。
【発明を実施するための形態】
【００２７】
（画像形成装置の全体構成）
図１は、本発明の画像形成装置の実施例となる孔版印刷機の全体構成図である。
【００２８】
孔版印刷機１の装置本体２７には、後端部に給紙部２が設けられ、前端部には排紙部３が設けられ、上側にスキャナー部４が設けられている。さらに、装置本体２７には、前後方向の概ね中間部に印刷部５が設けられ、該印刷部５の上部後側には製版部６が設けられ、印刷部５の上部前側には排版部７が設けられている。
【００２９】
孔版印刷機１において、原稿画像は、スキャナー部４にて光学的に読取られ、又は、ホストコンピュータから孔版印刷機１に原稿画像として送信され、製版部６においてサーマルヘッド２４に電気信号として入力され、マスタのロール２５から引出されプラテンローラ８を通過するマスターに製版が行なわれる。
【００３０】
製版されたマスターは所定の長さに切断され、印刷ドラム１３に巻回される。印刷ドラム１３の内面にはインキが補給され、印刷ドラム１３の内面より外面に巻回されたマスターの微細な孔に供給される。又、操作部からの印刷指令による制御部の給紙信号により、給紙部２より給紙された用紙をプレスローラ１４により上記印刷ドラム１３に巻回されたマスターに圧接搬送させることにより印刷が行なわれ、排紙部３に排紙される。
【００３１】
給紙部２には、重ねられた多数枚の用紙Ｐを積載する昇降可能な給紙台２６と、前記給紙台２６の上方に設けられた給紙手段を有している。前記給紙手段は、給紙ローラ１０及び捌き板１１が配置されており、前記給紙台２６の上昇に伴い、所定のタイミング及び位置で印刷用紙Ｐを上から順に一枚ずつ印刷部５に向けて送り出す。
【００３２】
また、給紙部２には、給紙台２６上に積載された用紙の有無を検出する用紙有無センサ２１及び、給紙台２６上に積載された用紙最上面の位置を検出するエレベータ上限センサ２２を備え、その検出状態に応じて、給紙台２６をエレベータモータにより昇降制御する。
【００３３】
さらに、給紙ローラ１０の下流側には、用紙先端センサ２３を配置しており、空おくりなどで用紙Ｐが用紙先端センサ２３に達しない場合は、「左側紙づまりです」の警告メッセージを表示し、運転を停止する。正常に給紙された場合は、用紙はタイミングローラ１２により印刷部５まで送り込まれ、印刷が行なわれ、排紙部３に排紙される。
【００３４】
（制御系の基本構成）
図２は、本実施例の制御系の一例を示すブロック図である。
【００３５】
図２において、通知部としての操作パネル３６は制御部３０の入力部に電気的に接続されている。また、制御部３０の入力部には、外部メモリ３９が接続されている。制御部３０の出力部には、製版部６、排版部３２、給紙部２、印刷部５、排紙部３の各駆動系が電気的に接続されている。
【００３６】
操作パネル３６には、各種印刷情報の表示と共に、製版開始の操作キー、印刷開始及び印刷停止の操作キー、並びに用紙の寸法及び紙質等の各種印刷条件を設定するキー等が表示され、あるいは設けられている。
【００３７】
又、原稿画像は、スキャナー部４にて光学的に読取られ、又は、インターフェース３７を介して制御部３０に接続されたＰＣ（ホストコンピュータ）３８から原稿画像データが孔版印刷機１（制御部３０）に送信される。
【００３８】
上記基本構成を備えた孔版印刷機１において、オートパワーオフ機能は、予め設定された時刻あるいは、設定画像形成終了後に一定時間画像形成操作されなかった場合、制御部３０は外部メモリ３９（ＲＯＭとＲＡＭ）内の制御プラグラムにより電源スイッチ（リレー）４６をオフ状態にする。これにより、孔版印刷機１は自動的に、電源プラグ４７から入力されたＡＣ電源からＤＣ電源４５への供給を絶ち、孔版印刷機１は非通電状態になる。
【００３９】
これにより、孔版印刷装置１が自動的に電源をオフするオートパワーオフ機能を可能とする。
【００４０】
（操作パネル）
孔版印刷装置１における操作パネル３６は、図３に示すように、メッセージやユーザによる入力内容を表示するＬＣＤ部５１と、ユーザによる入力を受付ける操作ボタン５２と、ＬＥＤ等からなる警告ランプ５３と、オートパワーオフ事前予告の通知の際に操作者への警告動作として鳴動するブザー５４とを備える。なお、図３に示すＬＣＤ部５１の表示は、オートパワーオフ機能の設定を行う画面の一例である。
【００４１】
尚、操作パネル３６を介して制御部３０に入力されるオートパワー機能に関する設定情報は、制御部３０におけるオートパワーオフ機能処理部（不図示）にて管理される。
【００４２】
（オートパワーオフ機能の設定画面）
図４から図７は、操作パネル３６が備えるＬＣＤ部５１が表示するオートパワーオフ機能に関する表示画面の一例を説明する図である。図４は「オートパワーオフ・設定画面」６１を示しており、図５は「時刻でパワーオフ・画面」６２を示しており、図６は「時間経過でパワーオフ・画面」６３を示しており、図７は「事前予告画面」６４を示している。
【００４３】
図４に示す「オートパワーオフ・設定画面」６１は、オートパワーオフ機能の設定を行う基本的な画面であって、所定時刻に電源遮断を実行する第一のオートパワーオフ機能と、所定時間内に所定の操作が行われない場合に、電源遮断を実行する第二のオートパワーオフ機能の二つの機能を選択可能である。
【００４４】
“時刻でパワーオフ”キー６１ａが押下されると、第一のオートパワーオフ機能の設定画面（図５）が選択され、“時間経過でパワーオフ”キー６１ｂが押下されると、第二のオートパワーオフ機能の設定画面（図６）が選択され、表示される。又、各タッチキー６１ａ、６１ｂには、それぞれ、現在の設定内容が表示される。図４において、第一のオートパワーオフ機能については１９：００に設定されており、第二のオートパワーオフ機能については５分に設定されている。
又、“終了”キー６１ｃが押下されると、オートパワーオフ機能の設定を終了し、前画面に戻って、各種機能のタイトルを選択する「機能選択画面」（不図示）が表示される。
尚、各オートパワーオフ機能が無効となっているときは、前記１９：００、５分に替えて、それぞれＯＦＦの表記が表示される。
【００４５】
図５に示す「時刻でパワーオフ・画面」６２は、前記、図４の「オートパワーオフ・設定画面」６１において、“時刻でパワーオフ”キー６１ａが押下された場合に表示される。
図５において、“ＯＮ”キー６２ａ及び“ＯＦＦ”キー６２ｂは、それぞれ、オートパワーオフ機能の有効、無効を選択するキーであり、最終的な選択情報は“ＯＫ”キー６２ｅの押下により設定（登録）される。
【００４６】
尚、時刻の選択は“ＯＮ”キー６２ａが押下された場合のみ設定可能で、“ＯＦＦ”キー６２ｂが押下された場合は、時刻の入力表示が消えて数字が入力できなくなる。
時刻の選択は、“ＯＮ”キー６２ａが押下され、“時刻”キー（表示）６２ｇが押下されると、“▲”キー６２ｃ、“▼”キー６２ｄにより、時刻の数字が入力可能となる。
又、“分”キー（表示）６２ｈが押下されると、“▲”キー６２ｃ、“▼”キー６２ｄにより、分の数字が入力可能となる。前記選択情報は、“ＯＫ”キー６２ｅの押下により設定（登録）される。そして、“戻る”キー６２ｆが押下された場合は、前画面の「オートパワーオフ・設定画面」６１が表示される。
【００４７】
図６に示す「時間経過でパワーオフ・画面」６３は、前記、図４の「オートパワーオフ・設定画面」６１において、“時間経過でパワーオフ”キー６１ｂが押下された場合に表示される。図６において、“ＯＮ”キー６３ａ及び“ＯＦＦ”キー６３ｂは、それぞれ、オートパワーオフ機能の有効、無効を選択するキーであり、最終的な選択情報は“ＯＫ”キー６３ｅの押下により設定（登録）される。
【００４８】
尚、時間の選択は“ＯＮ”キー６３ａが押下された場合のみ設定可能で、“ＯＦＦ”キー６３ｂが押下された場合は、時間の入力表示が消えて数字が入力できなくなる。
時間の選択は“ＯＮ”キー６３ａが押下され、“時間”キー（表示）６３ｇが押下されると、“▲”キー６３ｃ、“▼”キー６３ｄにより、時間の数字が入力可能となる。
前記選択情報は、“ＯＫ”キー６３ｅの押下により設定（登録）される。そして、“戻る”キー６３ｆが押下された場合は、前画面の「オートパワーオフ・設定画面」６１が表示される。
【００４９】
図７に示す「事前予告画面」６４は、第一のオートパワーオフ機能又は、第二のオートパワーオフ機能が設定されていた場合に、オートパワーオフ時刻に至る一定時間前に、当該オートパワーオフの事前予告を操作者に通知する為の通知手段としての表示画面である。
尚、前記事前予告を通知する際は、時間表示部６４ａにより、前記オートパワーオフ時刻に至る一定時間前からカウントダウン表示（通知）を行う。
さらに、操作者によるオートパワーオフ機能のキャンセル要求を受付ける “キャンセル”キー６４ｂを備え、前記“キャンセル”キー６４の押下により、前記オートパワーオフ機能の設定をキャンセルすることができる。
【００５０】
（オートパワーオフ機能の動作）
つぎに本実施例の具体的な制御を図８から図１０に示すフローチャートを参照して説明する。尚、ここでの説明は、孔版印刷機１において、オートパワーオフ時刻（時間）に至るまでの残り時間が３０秒前になると、事前予告を操作者に通知するものとして説明するが、前記、事前予告時間（３０秒前）は、これに限られるものではなく、操作者が任意に設定できるように構成してもよい。
【００５１】
図８は、オートパワーオフ機能の基本動作である第一のオートパワーオフ機能及び、第二のオートパワーオフ機能を制御する為のメインルーチンである。図９は、前記、第一のオートパワーオフ機能におけるサブルーチン（オートパワーオフ時刻処理）である。図１０は、前記、第二のオートパワーオフ機能におけるサブルーチン（オートパワーオフ時間処理）である。
【００５２】
図８のステップ１において、第一のオートパワーオフ機能（オートパワーオフ時刻処理）が設定されているか否かを確認する。設定されている場合（ステップ１；Ｙ）は、図９のサブルーチン（オートパワーオフ時刻処理）に処理を移行する（ステップ２）。一方、設定されていない場合（ステップ１；Ｎ）は、第二のオートパワーオフ機能（オートパワーオフ時間処理）が設定されているか否かを確認する（ステップ３）。
【００５３】
設定されている場合（ステップ３；Ｙ）は、図１０のサブルーチン（オートパワーオフ時間処理）に処理を移行する（ステップ４）。一方、設定されていない場合（ステップ３；Ｎ）は、メインルーチンの処理を終了する。
【００５４】
つぎに、図８のメインルーチンにおいて、前記、二つのサブルーチンがそれぞれ選択された場合について説明する。
【００５５】
まず、図９のサブルーチン（オートパワーオフ時刻処理）が選択された場合について説明する。ステップ５において、設定時刻のオートパワーオフ時刻に至るまでの残り時間が３０秒前となったか否かを確認する。
【００５６】
設定時刻の３０秒前となった場合（ステップ５；Ｙ）は、図７に示す「事前予告画面」６４により、事前予告の表示として、残り時間が３０秒前になったことを操作者に通知（表示）すると共に、カウントダウン通知（表示）を行う（ステップ６）。
【００５７】
一方、設定時刻の３０秒前となっていない場合（ステップ５；Ｎ）は、設定時刻の３０秒前となるまで待機する。
【００５８】
つぎに、ステップ６の「事前予告画面」６４において、操作者によるキャンセル要求として、“キャンセル”キー６４ｂが押下された場合（ステップ７；Ｙ）は、第一のオートパワーオフ機能（オートパワーオフ時刻処理）の設定を取消し（ステップ１０）、処理を図８のメインルーチンに戻す（ＲＥＴ）。
【００５９】
一方、操作者により“キャンセル”キー６４ｂが押下されていない場合（ステップ７；Ｎ）は、オートパワーオフの設定時刻となったか否かを確認する（ステップ８）。
【００６０】
オートパワーオフの設定時刻となった場合（ステップ８；Ｙ）は、装置の電源をオフにし（ステップ９）、処理を図８のメインルーチンに戻す（ＲＥＴ）。
【００６１】
一方、オートパワーオフの設定時刻となっていない場合（ステップ８；Ｎ）は、処理をステップ７に戻す。
【００６２】
つぎに、図１０のサブルーチン（オートパワーオフ時間処理）が選択された場合について説明する。ステップ１１において、設定時間のオートパワーオフ時間に至るまでの残り時間が３０秒前となったか否かを確認する。
【００６３】
設定時刻の３０秒前となった場合（ステップ１１；Ｙ）は、図７に示す「事前予告画面」６４により、事前予告の表示として、残り時間が３０秒前になったことを操作者に通知（表示）すると共に、カウントダウン通知（表示）を行う（ステップ１４）。
【００６４】
つぎに、ステップ１４の「事前予告画面」６４において、操作者によるキャンセル要求として、“キャンセル”キー６４ｂが押下された場合（ステップ１５；Ｙ）は、第二のオートパワーオフ機能（オートパワーオフ時間処理）の設定を取消し（ステップ１８）、処理を図８のメインルーチンに戻す（ＲＥＴ）。
【００６５】
一方、操作者により“キャンセル”キー６４ｂが押下されていない場合（ステップ１５；Ｎ）は、オートパワーオフの設定時刻となったか否かを確認する（ステップ１６）。
【００６６】
オートパワーオフの設定時間となった場合（ステップ１６；Ｙ）は、装置の電源をオフにし（ステップ１７）、処理を図８のメインルーチンに戻す（ＲＥＴ）。
【００６７】
一方、オートパワーオフの設定時刻となっていない場合（ステップ１６；Ｎ）は、処理をステップ１５に戻す。
【００６８】
ステップ１１において、設定時刻の３０秒前となっていない場合（ステップ１１；Ｎ）は、操作者によるパネル操作等の所定の操作が行われているか否かを確認する（ステップ１２）。
【００６９】
操作者により所定の操作が行われた場合（ステップ１２；Ｙ）は、オートパワーオフ時間を計数する為の設定カウンタをリセットし、設定カウンタは０から計数を再スタートする（ステップ１３）。そして、処理を図８のメインルーチンに戻す（ＲＥＴ）。
【００７０】
一方、操作者によるパネル操作等の所定の操作が行われていない場合（ステップ１２；Ｎ）は、処理をステップ１１に戻す。
【００７１】
（その他の実施例）
通知部は、第一のオートパワーオフ機能又は、第二のオートパワーオフ機能が設定されていた場合であっても、画像形成装置が操作パネルの操作中、印刷動作中、製版動作中又は、エラー発生中の何れかの特定の処理を行っている間は、オートパワーオフの事前予告を操作者に通知せず、前記特定の処理が終わるのを待って操作者に通知する。これにより、事前予告により前記特定の処理が妨げられることがない。
【００７２】
所定時間内に所定の操作が行われない場合に、待機時の消費電力を低減する省エネモードをさらに備え、前記省エネモードを実行中の場合は、前記通知部によるオートパワーオフの事前予告を操作者に通知することなく、制御部３０は、オートパワーオフの設定時刻又は設定時間に電源遮断を実行する。これにより、省エネモード実行中に、オートパワーオフの事前予告のタイミングに至った場合においては、操作者が一定の時間、所定の操作を行っていないと判断して、オートパワーオフの電源オフを実行する。したがって、省エネルギーの促進に有効である。
【００７３】
ホストコンピュータと画像形成装置がオンライン接続された画像形成装置のオンラインシステムにおいて、前記事前予告を通知する際は、前記通知部は、前記オートパワーオフに至る一定時間を、画像形成装置がオフラインの場合よりも長く設定する。したがって、ホストコンピュータと装置本体が離れて設置されている場合においても、操作者が意図しないオートパワーオフ状態に至った結果、操作者が離れた装置本体まで行き、再度電源をオンしなければならないというリスクを減らすことができる。
【００７４】
又、装置本体に加えて、ホストコンピュータの画面においても、図７に示すような「事前予告画面」６４を表示して、ホストコンピュータの画面からもオートパワーオフ機能をキャンセルできるように構成してもよい。
【００７５】
又、ホストコンピュータと画像形成装置がオンライン接続された画像形成装置のオンラインシステムにおいて、通知部は、画像形成装置が画像データ受信中の間は、オートパワーオフの事前予告を操作者に通知せず、画像データの受信終了後、操作者に通知する。
又は、何らかの出力をした後（製版印刷やＵＳＢメモリへ画像データを保存した後等）に、操作者に通知するように構成してもよい。
【００７６】
以上に記載した実施の形態は、オートパワーオフ機能として、所定時刻に電源遮断を実行する第一のオートパワーオフ機能と、所定時間内に所定の操作が行われない場合に、電源遮断を実行する第二のオートパワーオフ機能の二つの機能を備え、操作者が二つの機能を選択可能としたが、前記オートパワーオフ機能の一方を装置に単独で備えるように構成してもよい。
【００７７】
又、以上に記載した実施の形態は、本発明を孔版印刷機に適用した例を示したが、本発明は、ファクシミリ装置、複写装置等の他の画像形成装置にも適用することができる。
【符号の説明】
【００７８】
１  孔版印刷機
２  給紙部
３  排紙部
４  スキャナー部
５  印刷部
６  製版部
３０  制御部
３６  操作パネル
３７  インターフェース
３８  ＰＣ（ホストコンピュータ）
３９  外部メモリ
４５  ＤＣ電源
４６  電源スイッチ（リレー）
４７  電源プラグ
【図１】
2019136899.tif 000003
【図２】
2019136899.tif 000004
【図３】
2019136899.tif 000005
【図４】
2019136899.tif 000006
【図５】
2019136899.tif 000007
【図６】
2019136899.tif 000008
【図７】
2019136899.tif 000009
【図８】
2019136899.tif 000010
【図９】
2019136899.tif 000011
【図１０】
2019136899.tif 000012